(57)【要約】【課題】リバース・リンク・パケット・アクセス送信に関するなど、無線通信システムにおける制御情報を送信する方法を提供する。【解決手段】本方法は、少なくとも１つの時分割多重化されたスケジューリング許可を有する、フォワード・リンク・データを送信することを含む。本方法は、また、少なくとも１つの時分割多重化されたスケジューリング許可を有するフォワード・リンク・データを受信すること、および／または少なくとも１つの時分割多重化されたスケジューリング許可を受信することに応答してパケットを送信することを含むことができる。ここで、１つまたは複数のスケジューリング許可は、少なくとも１つのユーザ識別情報、レート指示情報、送信出力制御情報、およびＨＡＲＱ情報を含む。【選択図】図４
2004289842.tif 000002
【特許請求の範囲】
【請求項１】
無線通信方法であって、
少なくとも１つの時分割多重化されたスケジューリング許可を有するフォワード・リンク・データを送信する工程を含み、前記少なくとも１つの時分割多重化されたスケジューリング許可が、少なくとも１つのユーザ識別情報、レート指示情報、送信出力制御情報、およびＨＡＲＱ情報を含む無線通信方法。
【請求項２】
前記スケジューリング許可が、フォワード・リンク・スロットのＭＡＣフィールドで送信され、または前記スケジューリング許可が、前記フォワード・リンク・データに差し込まれる請求項１に記載の方法。
【請求項３】
前記スケジューリング許可が、符号化されかつインターリーブされ、フォワード・リンクＭＡＣフィールドで送信される請求項１に記載の方法。
【請求項４】
無線通信方法であって、
少なくとも１つの時分割多重化されたスケジューリング許可を有するフォワード・リンク・データを受信する工程を含み、前記少なくとも１つの時分割多重化されたスケジューリング許可が、少なくとも１つのユーザ識別情報、レート指示情報、送信出力制御情報、およびＨＡＲＱ情報を含む無線通信方法。
【請求項５】
前記スケジューリング許可が、フォワード・リンク・スロットのＭＡＣフィールドで受信され、または前記スケジューリング許可が、前記フォワード・リンク・データから抜かれる請求項４に記載の方法。
【請求項６】
前記スケジューリング許可が、複号化されかつデインターリーブされ、フォワード・リンクＭＡＣフィールドで受信される請求項４に記載の方法。
【請求項７】
無線通信方法であって、
少なくとも１つのスケジューリング許可の受信に応答してパケットを送信する工程を含み、前記少なくとも１つのスケジューリング許可が、少なくとも１つのユーザ識別情報、レート指示情報、送信出力制御情報、およびＨＡＲＱ情報を含む無線通信方法。
【請求項８】
前記パケットを送信する工程が、前記レート指示情報に応答してデータ・ブロックを符号化することを含む請求項７に記載の方法。
【請求項９】
前記パケットを送信する工程が、前記ＨＡＲＱ情報に応答して前記パケットを送信することを含む請求項７に記載の方法。
【請求項１０】
スケジューリング許可を受信する工程が、
Ｗａｌｓｈ符号のエネルギーを検出する工程と、
制御情報が、検出されたエネルギーに基づいてユーザに関するものであるかどうかを決定する工程とを含む請求項７に記載の方法。
【発明の詳細な説明】
【技術分野】
【０００１】
本発明は、遠隔通信に関し、より詳細には無線通信に関する。
【背景技術】
【０００２】
無線通信システムは、多数の地理的に分散されたセルラ通信サイトすなわち基地局を用いる。各基地局は、静止されたすなわち固定された無線通信デバイスまたはユニットへの通信信号の送信、および無線通信デバイスまたはユニットからの通信信号の受信をサポートする。各基地局は、セル／セクタと一般に呼ばれる特定の領域にわたる通信を処理する。無線通信システムに関する全体的なカバレージ領域は、用いられる基地局に関するセルの集まりによって画定される。ここで、隣接するまたは近接するセル・サイトに関するカバレージ領域は、互いに重なり合うことができ、ここでシステムの外側境界内の可能な連続する通信カバレージを確実にする。
【０００３】
アクティブであるとき、無線ユニットは、フォワード（順方向）・リンクすなわちダウンリンク上で少なくとも１つの基地局から信号を受信し、かつリバース（逆方向）・リンクすなわちアップリンク上で少なくとも１つの基地局へ信号を送信する。例えば、ＴＤＭＡ（ｔｉｍｅ−ｄｉｖｉｓｉｏｎ  ｍｕｌｔｉｐｌｅ  ａｃｃｅｓｓ、時分割多重アクセス）、ＦＤＭＡ（ｆｒｅｑｕｅｎｃｙ−ｄｉｖｉｓｉｏｎ  ｍｕｌｔｉｐｌｅ  ａｃｃｅｓｓ、周波数分割多重アクセス）、およびＣＤＭＡ（ｃｏｄｅ−ｄｉｖｉｓｉｏｎ  ｍｕｌｔｉｐｌｅ  ａｃｃｅｓｓ、符号分割多重アクセス）構成を含む、セルラ通信システムに関するリンクすなわちチャネルを規定するための多くの異なる構成が存在する。ＣＤＭＡ通信において、異なる無線チャネルは、異なる情報ストリームを符号化するために使用される異なるチャネル化符号またはシーケンスによって識別され、これらは、次に、同時の送信に関する１つまたは複数の異なる搬送周波数で変調されることができる。受信機は、受信した信号を復号化するために、適切な符号またはシーケンスを使用して受信した信号から特定のストリームを復元することができる。
【０００４】
音声適用に関しては、従来のセルラ通信システムは、無線ユニットと基地局との間の専用リンクを使用する。音声通信は、本質的に遅延を許容しない。したがって、無線セルラ通信システムにおける無線ユニットは、１つまたは複数の専用リンク上で信号を送受信する。ここで、それぞれアクティブな無線ユニットは、一般に、ダウンリンク上の専用リンク、ならびにアップリンク上の専用リンクの割り当てを必要とする。
【０００５】
インターネットの爆発的な普及およびデータに対する増大した要求とともに、リソース管理が、セルラ通信システムにおける増大する問題になった。しかしながら音声とは異なり、データ通信は、本質的に比較的遅延を許容し、かつ潜在的にバースト性であることができる。そのように、データ通信は、ダウンリンクまたはアップリンク上に専用リンクを必要とせず、むしろ１つまたは複数のチャネルを多数の無線ユニットによって共有できるようにする。この構成によって、アップリンク上の各無線ユニットは、利用可能なリソースを競合する。アップリンクで管理されるべきリソースは、基地局で受信される出力と、例えば、同一のセクタすなわちセル内の他のユーザ、ならびに他のセクタすなわち他のセル内のユーザに対する、各ユーザによって生成される干渉とを含む。これは、固定された送信出力設定を含むダウンリンク上で管理されるべきリソースとは対照的である。
【０００６】
データ通信は、本質的に比較的遅延を許容し、かつ潜在的にバースト性であることができるが、次世代の無線通信システムにおいて予想される１つの問題は、データ・ブロックまたはデータ・パケット送信に失敗することである。より詳細には、例えば基地局は、多数のパケットから１つまたは複数のデータ・パケットを、識別された無線ユニットへ送信することを失敗することがある。この失敗の結果として、基地局が、例えばハイブリッド自動繰り返し要求（ｈｙｂｒｉｄ  ａｕｔｏｍａｔｉｃ  ｒｅｐｅａｔ  ｒｅｑｕｅｓｔ、ＨＡＲＱ）などの任意の数の再送信技術を使用して、無線ユニットによって十分に受信されないデータ・パケットを送ることができる。
【０００７】
ＨＡＲＱは、元々の送信を破棄することより、元々の送信に新たな送信を組み合わせることを可能にする。これは、パケットの復号を訂正する可能性を改善することができる。ＨＡＲＱにおける用語「ハイブリッド」は、フォワード誤差訂正（Ｆｏｒｗａｒｄ  Ｅｒｒｏｒ  Ｃｏｒｒｅｃｔｉｏｎ、ＦＥＣ）技術が、ＡＲＱ技術に加えて使用されることを示す。ＨＡＲＱ組み合わせ構成は、再送信が、元々の成功しなかった送信と組み合わされることを意味する。したがって、ＨＡＲＱを試みることは、自体によって成功しなかった復号の結果となる送信が、破棄されることがないことを確実にする。
【０００８】
発展された努力は、ユニバーサル移動遠隔通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）およびＣＤＭＡ２０００  １ｘなどの第３世代（３Ｇ）無線通信システムの発展した展開のために進められている。これらのおよび以降の次世代の無線通信システムは、例えば、インターネット・アクセスおよびマルチメディア通信のサポートにおける、ＵＭＴＳでの高速ダウンリンク・パケット・アクセス（ｈｉｇｈ−ｓｐｅｅｄ  ｄｏｗｎｌｉｎｋ  ｐａｃｋｅｔ  ａｃｃｅｓｓ、ＨＳＤＰＡ）仕様、およびＣＤＭＡ２０００での１ｘＥＶ−ＤＶ仕様などの高速データ・サービスを提供することが予想される。例えばＨＳＤＰＡおよび１ｘＥＶ−ＤＶなどのこれらの解決方法は、同一の搬送波で同時に音声および高速データの必要性を、反対方向でも適合できるように、別個にかつ潜在的な競合をサポートする取り組みに対処し始めた。
【０００９】
例えば無線インターネット適用などの無線適用に関連する急速に発展する必要性に合致するために、およびＨＳＤＰＡをサポートするために、これらの３Ｇシステムは、高速スケジューリング、適合変調および符号化（Ａｄａｐｔｉｖｅ  Ｍｏｄｕｌａｔｉｏｎ  ａｎｄ  Ｃｏｄｉｎｇ、ＡＭＣ）、およびＨＡＲＱなどの性能を強化した技術を使用する。高速スケジューリングは、セクタ処理量を最大化するためのチャネル品質感受性スケジューリング技術であり、例えば、基地局は、チャネル品質に基づき所定の時間で１つまたは複数のユーザにリソースを割り当てる。ＡＭＣ技術は、スケージュールされたユーザの現在のチャネル状況に「適する」ことができる、データ・レートおよび送信フォーマット、例えば変調レベルおよびチャネル符号化レートの選択を可能にする。
【発明の開示】
【発明が解決しようとする課題】
【００１０】
遅延および測定誤差は、ＡＭＣからの劣化した性能を結果として生じることがある。例としてのシナリオにおいて、ビットまたはパケットのブロックは、誤って受信されても、ＱＰＳＫ変調および０．５の符号レートを使用して送ることができる。パケットは、次に、符号化されたビットの元々のセットからの少なくともいくつかの新たな「パリティ」ビットに加えて、新たな変調の適正な選択とともに再送信されることができる。ＨＡＲＱ技術は、劣化を最小化するための取り組みにおいて、物理層での高速再送信によってあるレベルの頑強性を提供するように使用されることができる。
【００１１】
３Ｇ標準のさらなる発展は、例えば無線ユニットから基地局へなど、高速リバース・リンクのパケット・アクセスを含むことがある。しかしながら、時分割多重化されたスロット構造は、リバース・リンク・パケット・アクセスをサポートする所定のシステムで使用されることができる。これらのシステムにおいて、スケジューリング許可チャネルは、所定の時分割多重化されたスロット構造を実現することが難しいことがある。したがって、リバース・リンク・パケット・アクセス送信に関して、スケジューリング許可などの制御情報を搬送する方法の必要性が存在する。
【課題を解決するための手段】
【００１２】
本発明は、無線通信システムにおけるリバース・リンクに関する制御情報を送信する方法を提供する。より詳細には、本発明は、リバース・リンク・パケット・アクセス送信に関する制御情報を送信する方法を提供する。本発明の目的のために、リバース・リンクに関して送信された制御情報は、少なくとも１つのスケジューリング許可、および／または送信出力制御（Ｔｒａｎｓｍｉｔ  Ｐｏｗｅｒ  Ｃｏｎｔｒｏｌ、ＴＰＣ）情報、および／またはユーザ識別情報（例えば、ＡＴ  ＩＤ）、および／またはレート指示情報、および／またはＨＡＲＱ制御情報を含むことができる。
【００１３】
本発明の一実施形態において、本方法は、少なくとも１つの時分割多重化されたスケジューリング許可を有する、フォワード・リンク・データを送信することを含む。１つまたは複数の時分割多重化されたスケジューリング許可は、少なくとも１つのユーザ識別情報、レート指示情報、送信出力制御情報、およびＨＡＲＱ情報を含む。
【００１４】
他の実施形態において、本方法は、少なくとも１つの時分割多重化されたスケジューリング許可を有する、フォワード・リンク・データを受信することを含む。１つまたは複数の時分割多重化されたスケジューリング許可は、少なくとも１つのユーザ識別情報、レート指示情報、送信出力制御情報、およびＨＡＲＱ情報を含む。
【００１５】
さらに他の実施形態において、本方法は、少なくとも１つのスケジューリング許可の受信に応答してパケットを送信することを含む。１つまたは複数の時分割多重化されたスケジューリング許可は、少なくとも１つのユーザ識別情報、レート指示情報、送信出力制御情報、およびＨＡＲＱ情報を含む。
【００１６】
本発明は、添付の図面を参照して、非限定の実施形態の以下の記載を読むことからより理解されるであろう。
例示的な適用の図面は、同一の縮尺ではなく、単に概略的な例示であり、したがって、本明細書の開示の例を通して当業者によって決定されることができる本発明の特定の寸法を描写することを意図するものではない。
【発明の効果】
【００１７】
本発明により、リバース・リンク・パケット・アクセス送信に関するなど、無線通信システムにおける制御情報を送信する方法が提供される。
【発明を実施するための最良の形態】
【００１８】
図１２を参照すると、例示的な無線通信システム１００のブロック図が示される。システム１００は、基地局１１５と通信する１つまたは複数の無線ユニット（例えば、固定または移動電話）１０５を含むことができる。無線ユニット１０５は、パケット・データを、インターネット１２０、または例えば閉じられた企業ネットワーク（例えばイントラネット）などのいくつかの他のパケット・データ・ネットワーク１２５と交換するために、基地局１１５を介して通信することができる。パケット・データの例は、ウェブ・ページへのアクセスおよび電子メールの検索などの適用のために使用されるインターネット・プロトコル（Ｉｎｔｅｒｎｅｔ  Ｐｒｏｔｏｃｏｌ、ＩＰ）データグラムを含むことができる。そのようなパケット・データ適用は、無線ユニット１０５で実行することができる。代わりに、これらのパケット・データ適用は、無線モデムなどの無線ユニット１０５を使用する別個のコンピュータ・デバイスで実行することができる。例示的な実施形態において、無線ユニット１０５は、例えばフォワードおよびリバース・チャネルのセットであることができるエア・インタフェースで、無線ネットワーク１１５と通信することができる。これは、フォワード・リンク１０７およびリバース・リンク１１０として示されることができる。
【００１９】
基地局１１５は、単一の基地局および基地局コントローラからなることができ、または、複数の別個に配置された無線基地局（例えば、アクセス・ネットワーク）および集合基地局１１５としてともに接続された基地局コントローラを含むことができる。各基地局は、データの無線ユニット１０５との交換に使用する所定数のトラフィック・チャネルを有することができる。１つのトラフィック・チャネルが、無線ユニット１０５に割り当てられると、その無線ユニット１０５は、アクティブ無線ユニット１０５と呼ばれることができる。少なくとも１つのトラフィック・チャネルは、次に、各アクティブ無線ユニット１０５に割り当てることができる。基地局１１５は、Ｔ１／Ｅ１、ＳＴＭ−ｘなどのバック・ホール設備、あるいは無線またはワイヤラインＴ１またはＴ３、ファイバ光接続、イーサネット（登録商標）などの任意の他の適切なタイプのネットワーク接続を使用するパケット・データ・ネットワーク１２０に接続されることができる。基地局１１５は、１つまたは複数のタイプを有するマルチ・パケット・データ・ネットワークに接続されることができる。例えば、イントラネットの代わりに、他のネットワーク１２５は、データ・サービス・インタワーキング機能（Ｉｎｔｅｒ−Ｗｏｒｋｉｎｇ  Ｆｕｎｃｔｉｏｎ、ＩＷＦ）を介して基地局１１５に接続された公共交換電話網（Ｐｕｂｌｉｃ  Ｓｗｉｔｃｈｅｄ  Ｔｅｌｅｐｈｏｎｅ  Ｎｅｔｗｏｒｋ、ＰＳＴＮ）であることができる。
【００２０】
本発明の目的のために、無線ユニットが、ユーザに音声および／またはデータ接続性を提供するデバイスとして特徴付けることができることに留意されたい。移動局は、ラップトップ、パーソナル・コンピュータ（ＰＣ）などの計算デバイスに接続されることができ、または、移動局は、携帯情報端末（Ｐｅｒｓｏｎａｌ  Ｄｉｇｉｔａｌ  Ａｓｓｉｓｔａｎｔ、ＰＤＡ）などのデータ内蔵デバイス、またはセルラ・ハンドセットすなわち電話であることができる。したがって、無線ユニットは、アクセス端末、無線移動体、移動局、遠隔局、ユーザ、ユーザ機器（Ｕｓｅｒ  Ｅｑｕｉｐｍｅｎｔ、ＵＥ）、加入者装置、または無線通信ネットワークにおける無線リソースの任意の他の遠隔のユーザに等しく、およびこのように呼ばれることができる。
【００２１】
無線データ・システムの発展において、フォワード・リンク（Ｆｏｒｗａｒｄ  Ｌｉｎｋ、ＦＬ）における、例えば基地局から無線ユニットへのスケジューリング機能は、ユーザからのチャネル品質フィードバックに基づく「高速」スケジューリングを提供するために、基地局コントローラから基地局へ移されることができる。さらに、適合変調および符号化（ＡＭＣ）およびハイブリッドＡＲＱ（ＨＡＲＱ）などの新たな技術は、全体システム容量を改善するために用いられることもできる。一般に、スケジューラが、所定の時間での送信に関するユーザを選択することができ、ＡＭＣは、ユーザによって見られる現在のチャネル状況に適したトランスポート・フォーマット（例えば、変調および符号化）の選択を可能にする。チャネル品質推定におけるエラーのために、高いエラー・レートは、結果として所定のレートで実行された送信（トランスポート・フォーマット）を生じる。ＨＡＲＱは、高速再送信を使用することができ、全体において著しい損失なしに送信エラーから復元するために、新たに受信した送信のコピーを前に受信したコピーと組み合わせる。
【００２２】
さらなる３Ｇ標準の発展は、無線ユニットから基地局への高速のリバース・リンク・パケット・アクセスを含む。ＦＬで使用されるほとんどの技術は、データ・レートおよびシステム容量を改善するためにリバース・リンクで使用されることもできる。これらの技術は、例えば、高速スケジューリング、ＡＭＣ、およびＨＡＲＱを含む。
【００２３】
リバース・リンク上のパケット・スケジューリングをサポートするために、無線ユニット識別に関する情報および他の制御情報を含むスケジューリング許可は、ＦＬ上に送られる必要がある。ＣＤＭＡ２０００において、フォワード・アップリンク・スケジューリング・チャネル（Ｆｏｒｗａｒｄ−Ｕｐｌｉｎｋ  Ｓｃｈｅｄｕｌｉｎｇ  Ｃｈａｎｎｅｌ、Ｆ−ＵＳＣＨ）と呼ばれる符合多重化制御チャネルは、Ｒ−ＳＣＨ（Ｒｅｖｅｒｓｅ  Ｓｕｐｐｌｅｍｅｎｔａｌ  Ｃｈａｎｎｅｌ）フレームで送信するようにスケジューリングされた無線ユニットに関して、ＦＬ上でスケジューリング許可を搬送することができる。ＦＬスケジューリング許可チャネルは、ＦＬデータ送信に使用される符号に直交するＷａｌｓｈ符号で送信される。
【００２４】
図１を参照すると、フォワード・アップリンク・スケジューリング・チャネルおよびＲ−ＳＣＨフレーム送信タイミングが示される。ここで、無線ユニットは、ＲＬ上でＲ−ＳＣＨフレームにおけるパケットを送信する。パケットの送信は、ＦＬ上のスケジューリング許可メッセージに応答して実行される。
【００２５】
１ｘＥＶ−ＤＯとしても知られる、ＣＤＭＡ２０００ハイ・レート・パケット・データ（Ｈｉｇｈ  Ｒａｔｅ  Ｐａｃｋｅｔ  Ｄａｔａ、ＨＲＰＤ）において、ＦＬは、時分割多重化構造を使用することができる。例えば、データおよび制御情報の両方は、同一のＷａｌｓｈ符号のセットを使用することができ、データおよび物理層制御情報の送信は、時間において直交して行われることができる。図２を参照すると、ＣＤＭＡ２０００ＨＲＰＤに関する例示的な構造が示される。示されるようにＨＲＰＤフォワード・チャネルは、以下の時分割多重化チャネルからなることができる。すなわち、パイロット・チャネル、フォワード媒体アクセス制御（ＭＡＣ）チャネル、およびフォワード・トラフィック・チャネルまたは制御チャネルである。トラフィック・チャネルは、ユーザ・データ・チャネルを搬送する。制御チャネルは、制御メッセージを搬送することができる。さらに、トラフィック・チャネルは、ユーザ・トラフィックを搬送することもできる。各チャネルは、さらに、符号分割多重化された直交位相Ｗａｌｓｈチャネルに分解されることもできる。
【００２６】
示されるように、フォワード・リンクは、長さ２０４８チップのスロット（１．６６．．．ｍｓ）からなることもできる。各スロット内で、パイロット、ＭＡＣ、およびトラフィックまたは制御チャネルは、時分割多重化される。全ての時分割多重化されたチャネルは、セクタの最大出力で送信されることができる。パイロット・チャネルは、Ｗａｌｓｈカバー０とともにＩチャネル上で送信される全て０の符号からなることができる。各スロットは、２つのハーフ・スロットに分割されることができ、各ハーフ・スロットは、パイロット・バーストを含むことができる。各パイロット・バーストは、９６チップの期間を有することができ、かつハーフ・スロットの中間点に中心合わせされることができる。
【００２７】
さらに、ＭＡＣチャネルは、３つのサブチャネルからなることができる。３つのサブチャネルは、リバース・パワー制御（Ｒｅｖｅｒｓｅ  Ｐｏｗｅｒ  Ｃｏｎｔｒｏｌ、ＲＰＣ）チャネル、リバース・アクティビティ（Ｒｅｖｅｒｓｅ  Ａｃｔｉｖｉｔｙ、ＲＡ）チャネル、およびＤＲＣＬｏｃｋチャネルを含むことができる。ＲＡチャネルは、リバース・リンク・アクティビティ・ビット（Ｒｅｖｅｒｓｅ  ｌｉｎｋ  Ａｃｔｉｖｉｔｙ  Ｂｉｔ、ＲＡＢ）ストリームを送信する。
【００２８】
フォワードＭＡＣチャネルは、搬送波の特定の位相を直交して覆いかつＢＰＳＫ変調されたＷａｌｓｈチャネル（例えば、同位相または直交位相）を含むことができる。各Ｗａｌｓｈチャネルは、０と６３との間であるＭＡＣＩｎｄｅｘ値によって識別され、唯一の６４−ａｒｙのＷａｌｓｈカバーおよび唯一の変調位相を定義することができる。ＭＡＣＩｎｄｅｘ値に割り当てられたＷａｌｓｈ関数は、以下のようであることができる。
【数１】
2004289842.tif 000003
ここで、ｉはＭＡＣＩｎｄｅｘ値である。偶数のＭＡＣＩｎｄｅｘ値を有するＭＡＣチャネルは、同位相（Ｉ）の変調位相に割り当てられることができ、一方、奇数のＭＡＣＩｎｄｅｘ値を有するＭＡＣチャネルは、直角位相（Ｑ）の変調位相に割り当てることができる。ＭＡＣシンボルＷａｌｓｈカバーは、それぞれ６４チップ長さのバーストにスロット毎に４回送信されることができる。これらのバーストは、図２に示されるように、各スロットのパイロット・バーストの直前および直後に送信されることができる。ＭＡＣＩｎｄｅｘ値に対するＭＡＣチャネルの使用は、図３の例示的な表に示されるように行われることができる。
【００２９】
開放接続を有する各アクセス端末に関するＲＰＣチャネルは、利用可能なＭＡＣチャネルの１つに割り当てられる。それは、そのアクセス端末宛のＲＰＣビット・ストリームの送信に使用されることができる。ＲＰＣデータ・レートは６００ｂｐｓであることができる。各ＲＰＣシンボルは、それぞれ６４チップの２つのバーストのスロット毎に４回送信されることができる。２つのバーストは、スロットにおけるパイロット・バーストの直前および直後に送信されることができる。ＲＡチャネルは、ＭＡＣＩｎｄｅｘ４を有するＭＡＣチャネル上で、リバース・アクティビティ・ビット（ＲＡＢ）ストリームを送信することができる。
【００３０】
上述のように、いくつかの場合において、符号分割多重化されたスケジューリング許可チャネルは、ＣＤＭＡ２０００ＨＲＰＤで使用できないことがある。これは、ＦＬが、時分割多重化されたスロット構造を用いることがあるとの実現に帰することができる。したがって、少なくとも１つのスケジューリング許可、および／またはリバース・リンク・パケット送信に関する送信出力制御（ＴＰＣ）情報を含む制御情報を送信する方法が必要である。リバース・リンク・パケット送信に関する制御情報を送信するそのような方法は、例えば、ＲＬパケット送信に関するスケジューリング許可を搬送するフォワード・リンク・スロットにおけるＭＡＣフィールドの使用を含む、以下に詳細に記載する様々な異なる構成を組み込むことができる。
【００３１】
ＭＡＣＩｎｄｅｘを使用して搬送されるフォワード・リンク・スケジューリング許可
一実施形態において、開放接続を有する各アクティブ移動体は、特定の移動体が、ＲＬパケット送信に関してスケジュールされたか否かを示すために、ＡＴ  ＩＤとして使用される唯一のＭＡＣＩｎｄｅｘを割り当てることができる。ＡＴ  ＩＤは、パイロット・バーストの直前の２つの６４チップＭＡＣバーストで搬送されることができる。レート指示（ＲＩ）およびＨＡＲＱ制御情報（例えば５６個の組み合わせ）は、同様に、図４に示されるように、パイロット・バーストの直後の２つの６４チップＭＡＣバーストで搬送されることができる。
【００３２】
ＭＡＣＩｎｄｅｘは、６４チップ長さのＷａｌｓｈ符号バーストで送信されることができるので、制御情報の６ビット（例えばｌｏｇ２６４）は、６４チップ長さのＭＡＣＩｎｄｅｘで搬送されることができる。現在使用されていないＭＡＣＩｎｄｅｘと、また現在ＴＰＣビットに関して使用されているＭＡＣＩｎｄｅｘとが存在することは、スケジューリング許可を移動局へ搬送するために用いることができる。ＭＡＣＩｎｄｅｘの送信をより確実にするために、送信は、複数のスロット上で行われることができる。例えば、それぞれ６４チップ長さのバーストのスロット毎に４回である。
【００３３】
ＭＡＣＩｎｄｅｘ送信専用のＴＰＣビットおよびスケジューリング許可の両方を同時にサポートするために、直角位相Ｗａｌｓｈカバーが必要であることがある。しかしながら、ＴＰＣビットを時分割多重することも可能であり、スケジューリング許可ＭａｃＩｎｄｅｘまたはＭＡＣＩｎｄｅｘは、例えば、図５に示されるように、いくつかのスロットにおいてＴＰＣビットを搬送して、スケジューリング許可は、１つまたは複数の残りのスロットで搬送されることができる。これは、出力制御周波数の減少を犠牲にして達成されることができると考えられるが、より多くの数のアクティブな無線ユニットを同時にサポートする利点を提供することができる。ＦＬ上で搬送されるレート指示およびＨＡＲＱ制御情報の例は、図６のフィールドおよびビットを示す共通ＭＡＣＩｎｄｅｘフォーマット表に示される。制御情報の６ビットは、６４チップ長さのＷａｌｓｈ符号を使用して送ることができる。
【００３４】
スケジューリング許可を含むスロットのさらなる実施形態が、図７に示される。ＡＴ  ＩＤは、第１のハーフ・スロットにおけるバースト・パイロットの直前および直後の６４チップのバーストで送信されることができる。ＲＩおよびＨＡＲＱ制御は、第２のハーフ・スロットにおけるバースト・パイロットの直前および直後の６４チップのバーストで送信されることができる。この構造は、スケジュールされたＡＴだけが、スケジュールされていない（例えば、第１のハーフ・スロットでＡＴ  ＩＤの復号の後で知ることができる）アクティブ端末（例えばＡＴ）に関してバッテリ寿命を節約する可能性がある、ＲＩおよびＨＡＲＱ制御情報を含む第２のハーフ・スロットを復号しなければならないことがある。
【００３５】
ＴＤＭ制御チャネルを使用するスケジューリング許可送信
ＴＤＭ制御チャネルを使用するスケジューリング許可送信技術のさらなる実施形態が、図８に示される。ここで、ＡＴ  ＩＤ、レート指示、およびＨＡＲＱ制御などの制御情報は、まず、畳み込み符号またはブロック符号を使用してともに符号化されることができる。符号化された情報は、次にインターリーブされることができる。その後、符号化されかつインターリーブされた情報は、フォワード・リンク・スロットのＭＡＣフィールドで送信されることができるサブブロックに小分割されることができる。ＭＡＣフィールドにおける全ての利用可能なＷａｌｓｈ符号またはＷａｌｓｈ符号のサブセットは、サブブロック送信に使用されることができる。制御ブロック送信は、制御情報の信頼性を改善するために、複数のスロット上で実行されることもできる。
【００３６】
データ・フィールドに差し込まれた（ｐｕｎｃｔｕｒｅｄ）スケジューリング許可情報
データ・フィールドに差し込まれたスケジューリング許可情報技術のさらなる実施形態が、図９に示される。セル内の各ユーザは、唯一のＷａｌｓｈ符号に割り当てることができる。ＡＴ  ＩＤなどの制御情報、レート指示、およびＨＡＲＱ制御は、まず、ＣＲＣ保護され、符号化され、かつインターリーブされることができる。符号化されかつインターリーブされた情報は、次に、フォワード・リンク・スロットのデータ・フィールドにおけるユーザの特定のＷａｌｓｈ符号で搬送されることができる。全てのＷａｌｓｈ符号は、データ・フィールドにおけるデータ送信に既に使用されることがあるので、制御情報は、次に、データ・フィールドに差し込まれることができる。
【００３７】
ここで、各ユーザは、自身のＷａｌｓｈ符号を使用して制御情報を復号しようとすることができる。この方法論は、図１０のフロー図に示される。ＣＲＣチェックが、これが問題ないと判定するなら、次に、ユーザは、制御チャネルにおけるレート指示およびＨＡＲＱ制御情報を使用して、リバース・リンク上でパケットを処理しかつ送信することができる。しかしながら、ＣＲＣチェックが、これが問題であると判定するなら、制御チャネルは再び復号化される。
【００３８】
スケジューリング許可情報技術のさらなる実施形態が、図１１に示される。ここで、制御チャネルが差し込まれることができる。この差込工程が、データ・フィールドおよびＭＡＣフィールドの両方で制御チャネルを搬送する。
【００３９】
特定の発明が、例示的な実施形態を参照して記載されたが、この記載は、意味を限定するものと解釈されることを意味するものではない。本発明が記載されたが、例示的な実施形態、ならびに本発明のさらなる実施形態の様々な変形形態が、本発明の精神から逸脱することなく、本明細書に添付された請求項に言及されるように、本記載を参照して、当業者には明らかであることが理解される。したがって、それらの、ならびに記載された方法およびシステムの方法、システム、および部分は、無線ユニット、基地局、基地局コントローラ、および／または移動スイッチング・センタなどの異なる場所で実施されることができる。さらに、記載されたシステムを実施しかつ使用するために必要な処理回路は、本開示を享受する当業者には理解されるように、特定の集積回路、ソフトウエアで駆動される処理回路、ファームウエア、プログラム可能な論理回路、ハードウエア、ディスクリート構成部品、または上述の構成部品の構成の適用で実施されることができる。これらおよび様々な他の変形形態、構成、および方法は、本発明の精神および範囲から逸脱することなく、本明細書に示されかつ記載される例示的な適用に厳密に従うことなく、本発明になされることができることは、当業者には容易に理解される。したがって、添付の請求項は、本発明の範囲内にあるように任意のそのような変形形態または実施形態を含むことが考えられる。
【図面の簡単な説明】
【００４０】
【図１】例示的なフォワード・アップリンク・スケジューリング・チャネルおよびＲ−ＳＣＨフレーム送信タイミングを示す図である。
【図２】例示的なＣＤＭＡ２０００高速パケット・データ（ＨＲＰＤ）スロット構造を示す図である。
【図３】ＭＡＣＩｎｄｅｘに対する、媒体アクセス制御（ＭＡＣ）チャネル使用の例示的な表である。
【図４】例示的なフォワード・リンク・スロットを示す図である。
【図５】フォワード・リンク上のＴＰＣビットおよびスケジューリング許可の例示的な時分割多重化構造を示す図である。
【図６】共通ＭＡＣＩｎｄｅｘフォーマットを示す例示的な表である。
【図７】スケジューリング許可を含む例示的なフォワード・リンク・スロットを示す図である。
【図８】スケジューリング許可を含む他の例示的なフォワード・リンク・スロットを示す図である。
【図９】スケジューリング許可を含むさらに他の例示的なフォワード・リンク・スロットを示す図である。
【図１０】スケジューリング許可の受信および処理を示すフロー・チャートを示す図である。
【図１１】スケジューリング許可を含むさらに他の例示的なフォワード・リンク・スロットを示す図である。
【図１２】例示的な無線通信システムのブロック図を示す図である。
【図１】
2004289842.tif 000004
【図２】
2004289842.tif 000005
【図３】
2004289842.tif 000006
【図４】
2004289842.tif 000007
【図５】
2004289842.tif 000008
【図６】
2004289842.tif 000009
【図７】
2004289842.tif 000010
【図８】
2004289842.tif 000011
【図９】
2004289842.tif 000012
【図１０】
2004289842.tif 000013
【図１１】
2004289842.tif 000014
【図１２】
2004289842.tif 000015